(57)【要約】【課題】従来の光ピックアップ装置では、係合突起におけるベース部材の主面部の反対側が側面部に対して垂直をなしていたため、係合突起における主面部の反対側の一面と係合穴の先端側の一辺に隙間が生じ、ベース部材とカバー部材にガタツキが発生していた。【解決手段】光ビームが通過する光路を有するベース部材５２と、光路を覆うようにベース部材５２の主面部５２ａにその主面部６１ａが重ね合わされるカバー部材６１と、を備えている。ベース部材５２の主面部５２ａと略垂直をなす側面部５２ｂに設けた係合突起５４に、カバー部材６１の主面部６１ａと略垂直をなす係合片６２に設けた係合穴６３を係合させることによりカバー部材６１をベース部材５２に取り付けている。そして、この係合突起５４におけるベース部材５２の主面部５２ａと反対側に、先端側が主面部５２ａに近づく方向に変位する係合変位面５４ｂを設けた。【選択図】図３
2008282458.tif 000002
【特許請求の範囲】
【請求項１】
光ビームが通過する光路を有するベース部材と、
前記光路を覆うように前記ベース部材の主面部にその主面部が重ね合わされるカバー部材と、を備え、
前記ベース部材の前記主面部と略垂直をなす側面部に設けた係合突起に、前記カバー部材の前記主面部と略垂直をなす係合片に設けた係合穴を係合させることにより、当該カバー部材を当該ベース部材に取り付けた光ピックアップ装置であって、
前記係合突起における前記ベース部材の前記主面部と反対側に、先端側が前記主面部に近づく方向へ変位する係合変位面を設けた
ことを特徴とする光ピックアップ装置。
【請求項２】
前記係合変位面は、前記ベース部材の前記側面部に対して４５°以上９０°未満の傾斜面からなる
ことを特徴とする請求項１に記載の光ピックアップ装置。
【請求項３】
前記係合変位面は、前記ベース部材の前記側面部に対して７５°以上８５°以下の傾斜面からなる
ことを特徴とする請求項１に記載の光ピックアップ装置。
【請求項４】
前記カバー部材の前記主面部における前記係合片の近傍に、前記ベース部材に収納された光学部品を付勢する弾性片を設けた
ことを特徴とする請求項１に記載の光ピックアップ装置。
【請求項５】
ディスク状記録媒体が着脱可能に装着されるターンテーブルを回転駆動するディスク回転駆動部と、
前記ディスク回転駆動部により回転駆動される前記ディスク状記録媒体に対して情報信号の記録及び／又は再生を行う光ピックアップ装置と、
前記光ピックアップ装置を前記ディスク状記録媒体の情報記録面に沿って当該ディスク状記録媒体の半径方向へ移動させるピックアップ移動部と、を備えたディスクドライブ装置において、
前記光ピックアップ装置は、
光ビームが通過する光路を有するベース部材と、
前記光路を覆うように前記ベース部材の主面部にその主面部が重ね合わされるカバー部材と、を具え、
前記ベース部材の前記主面部と略垂直をなす側面部に設けた係合突起に、前記カバー部材の前記主面部と略垂直をなす係合片に設けた係合穴を係合させることにより、当該カバー部材を当該ベース部材に取り付け、
前記係合突起における前記ベース部材の前記主面部と反対側に、先端側が前記主面部に近づく方向へ変位する係合変位面を設けた
ことを特徴するディスクドライブ装置。
【発明の詳細な説明】
【技術分野】
【０００１】
本発明は、光ビームが通過する光路を有するベース部材とこのベース部材の光路を覆うようにベース部材に装着されるカバー部材とを設けた光ピックアップ装置、及びその光ピックアップ装置を備えたディスクドライブ装置に関するものである。
【背景技術】
【０００２】
一般的に、従来の光ピックアップ装置は、光ビームが通過する光路を有するベース部材に、この光路を覆うようにカバー部材が装着されている。ベース部材の側面部には係合突起が設けられ、カバー部材には係合穴を有する係合片が設けられている。この係合片の係合穴を係合突起に係合させることにより、カバー部材がベース部材に係合されて取り付けられている。このカバー部材により、ベース部材に収納した光学部品を支持したり、ベース部材の内部に塵や埃等が侵入することを防いでいる。
【０００３】
この従来の光ピックアップ装置について図９Ａ及び図９Ｂを参照して説明する。図９Ａに示すように、この光ピックアップ装置１００は、ベース部材１０１と、このベース部材１０１の主面部１０１ａにその主面部１０２ａが重ね合わされるカバー部材１０２等から構成されている。ベース部材１０１の側面部１０１ｂには、係合突起１０３が設けられている。係合突起１０３は、ベース部材１０１の主面部１０１ａと反対側の一面１０３ａが側面部１０１ｂに対して垂直をなしており、縦方向の断面形状が直角三角形をなしている。
【０００４】
一方、カバー部材１０２は、その主面部１０２ａと略垂直をなす係合片１０４を有している。この係合片１０４には、係合穴１０５が設けられている。係合穴１０５は、略長方形状をなしている。この係合穴１０５をベース部材１０１の係合突起１０３に係合させることにより、カバー部材１０２がベース部材１０１に取り付けられる。
【０００５】
この場合、係合穴１０５を係合突起１０３に係合させるためには、図９Ｂに示す破線のように、係合穴１０５が係合突起１０３の頂点１０３ｂを乗り越える必要がある。そのため、係合穴１０５の先端側の一辺１０５ａは、係合片１０４とカバー部材１０２の角部Ｇまでの長さＣを、角部Ｇから係合突起１０３の頂点１０３ｂまでの長さＤよりも長くなるように設定されている（Ｃ＞Ｄ）。その結果、係合突起１０３と係合穴１０５を係合した際には、係合突起１０３の一面１０３ａと係合穴１０５の一辺１０５ａに、隙間ｅが生じる。この隙間ｅにより、カバー部材１０２とベース部材１０１にガタツキが発生する。
【０００６】
このように、従来の光ピックアップ装置では、係合穴の先端側の一辺と係合突起におけるベース部材の主面部と反対側の一面に隙間が生じ、ベース部材とカバー部材にガタツキが発生する。そのため、ベース部材とカバー部材の隙間から、ベース部材の内部にホコリや塵が入り込み、不具合発生の原因となるだけでなく、ベース部材とカバー部材による光学部品の支持力が低下し、光学部品のズレが発生すると共にその焦点距離にもズレが生じて、光ピックアップ装置の信頼性が低下する、という問題があった。また、二軸アクチュエータ等が発生する振動にカバー部材が共振することにより、放射ノイズを悪化させる、という問題もあった。更に、カバー部材がガタツキによって浮き上がることにより、カバー部材が情報記録媒体に接触し、情報記録媒体を傷つけるおそれがある、という問題もあった。
【０００７】
また、このような問題の対策として、従来のピックアップ装置では、ベース部材とカバー部材を接着剤で固定したり、カバー部材を固定ネジでネジ止めして、ベース部材とカバー部材のガタツキの発生を防止するような構成としていた。しかしながら、このような構成では、接着剤でカバー部材を固定する工程や、固定ネジが必要となるため、部品点数の増加を招くと共に組立工数が多くなるばかりでなく、コストアップを生じている、という問題があった。
【０００８】
また、従来のこの種の光ピックアップ装置としては、例えば、特許文献１に記載されているようなものがある。特許文献１には、ディスク状光学記録媒体である光学ディスクを記録及び／又は再生する光学ディスク装置に備える光学ピックアップ装置に関するものが記載されている。
【０００９】
この特許文献１に記載された光学ピックアップ装置は、「ベース部材に組み込まれる光学系部品を保持する固定部材に、前記ベース部材に対する組み付け係合方向に弾性変形可能な係合片を形成し、前記係合片を介して前記固定部材を前記ベース部材に組み付け固定し、前記光学系部品を保持するようにした」ことを特徴としている。
【００１０】
このような構成を有する光学ピックアップ装置によれば、「調整部品は良好な押圧が付加された状態で保持されて調整操作を安定して円滑に行うことができる」等の効果が期待される。
【特許文献１】特開２０００−１３７９２５号公報
【００１１】
しかしながら、特許文献１に記載された光学ピックアップ装置では、固定部材とベース部材のガタツキを防止又は抑制するため、固定部材に、組み付け方向に弾性変形する弾性変形可能な係合片を設けている。そのため、ベース部材における係合片の曲げ元に、弾性変形を確保するための逃げ凹部が必要となる。その結果、ベース部材に逃げ凹部を設けるための加工が必要となり、加工工数の増加を招き、不経済である、という問題があった。
【発明の開示】
【発明が解決しようとする課題】
【００１２】
解決しようとする問題点は、従来の光ピックアップ装置では、係合突起における主面部と反対側の一面が側面部に対して垂直をなしていたため、係合突起の主面部と反対側の一面と係合穴の先端側の一辺に隙間が生じ、ベース部材とカバー部材にガタツキが発生する。そのため、ベース部材とカバー部材の隙間からベース部材の内部にホコリや塵が入り込み、不具合発生の原因となるだけでなく、ベース部材とカバー部材による光学部品の支持力が低下し、光学部品にズレが発生すると共にその焦点距離にズレが生じて、光ピックアップ装置の信頼性が低下する、という点である。また、かかるベース部材とカバー部材のガタツキの対策として、カバー部材を接着剤や固定ネジ等で固定すると、その接着剤でカバー部材を固定する工程や、固定ネジが必要となり、部品点数が増加し、組立工数が多くなるばかりでなく、コストアップを招くことになる、という点である。
【００１３】
更に、特許文献１に記載された光学ピックアップ装置では、カバー部材とベース部材のガタツキを防止するため、固定部材に、組み付け方向に弾性変形可能な係合片を設けている。そのため、ベース部材における係合片の曲げ元に、弾性変形を確保するための逃げ凹部が必要となるため、ベース部材に逃げ凹部を設けるための加工が必要となり、加工工数の増加を招き、不経済である、という不十分な点が生ずる。
【課題を解決するための手段】
【００１４】
本発明の光ピックアップ装置は、光ビームが通過する光路を有するベース部材と、この光路を覆うようにベース部材の主面部にその主面部が重ね合わされるカバー部材と、を備えている。そのベース部材の主面部と略垂直をなす側面部に設けた係合突起に、カバー部材の主面部と略垂直をなす係合片に設けた係合穴を係合させることにより、カバー部材をベース部材に取り付けている。そして、係合突起におけるベース部材の主面部と反対側に、先端側が主面部に近づく方向へ変位する係合変位面を設けたことを最も主要な特徴とする。
【００１５】
本発明のディスクドライブ装置は、ディスク状記録媒体が着脱可能に装着されるターンテーブルを回転駆動するディスク回転駆動部と、このディスク回転駆動部により回転駆動されるディスク状記録媒体に対して情報信号の記録及び／又は再生を行う光ピックアップ装置と、この光ピックアップ装置をディスク状記録媒体の情報記録面に沿って当該ディスク状記録媒体の半径方向へ移動させるピックアップ移動部と、を備えている。
光ピックアップ装置は、光ビームが通過する光路を有するベース部材と、光路を覆うようにベース部材の主面部にその主面部が重ね合わされるカバー部材と、を具えている。ベース部材の主面部と略垂直をなす側面部に設けた係合突起に、カバー部材の主面部と略垂直をなす係合片に設けた係合穴を係合させることにより、カバー部材をベース部材に取り付けている。そして、係合突起におけるベース部材の主面部と反対側に、先端側が主面部に近づく方向へ変位する係合変位面を設けたことを特徴とする。
【発明の効果】
【００１６】
本発明の光ピックアップ装置及びディスクドライブ装置によれば、係合突起におけるベース部材の主面部と反対側に、先端側が主面部に近づく方向に変位する係合変位面を設けた。そして、この係合変位面に係合穴の先端側の一辺が係止されるため、係合突起の係合変位面と係合穴の先端側の一辺との隙間をなくすことができ、ベース部材とカバー部材のガタツキを防止することができる。これにより、カバー部材とベース部材の密閉性を高め、ベース部材の内部にホコリや塵等が入り込むことを防ぐことができる。更に、カバー部材とベース部材による光学部品の保持を維持することができるため、光学部品のズレを防ぐと共に光学部品の焦点距離を所定の位置で保持することができ、光ピックアップ装置の信頼性を向上させることができる。
【発明を実施するための最良の形態】
【００１７】
係合突起におけるベース部材の主面部と反対側に、先端側が主面部に近づく方向に変位する係合変位面を設ける。これにより、係合穴の先端側の一辺を係合突起の係合変位面に係止させることができ、ベース部材とカバー部材のガタツキを防止することができる光ピックアップ装置及びディスクドライブ装置を、簡単な構成によって実現した。
【００１８】
以下、本発明の実施の形態を、添付図面を参照して説明する。図１は本発明のディスクドライブ装置の第１の実施の例を示す斜視図、図２は本発明の光ピックアップ装置の光学系を示す斜視図、図３は本発明の光ピックアップ装置の第１の実施の例に係る要部を示す斜視図、図４は本発明の光ピックアップ装置に係る光学部品の調整機構を示す分解斜視図、図５は斜視図、図６は断面図、図７及び図８は本発明のディスクドライブ装置を備えた電子機器に係る撮像装置を示すもので、図７は正面側から見た斜視図、図８はディスク蓋及び表示装置を開いて正面側から見た斜視図である。
【００１９】
まず、本発明のディスクドライブ装置を備えた電子機器の第１の実施の例に係る撮像装置を、図７及び図８を参照して説明する。図７及び図８に示す装置は、撮像装置の第１の実施の例として適用したデジタルビデオカメラ１である。このデジタルビデオカメラ１は、ディスク状記憶媒体の一具体例を示す光ディスク１０を情報記憶メディアとして使用し、光学的な画像を、撮像素子｛例えば、ＣＣＤ（電荷結合素子）、ＣＭＯＳ（相補性金属酸化膜半導体）等｝で電気的な信号に変換して、その画像情報を光ディスク１０に記録したり、液晶ディスプレイ等の平面パネルからなる表示装置に表示できるようにしたものである。
【００２０】
しかしながら、本発明の撮像装置に使用されるディスク状記録媒体としては、この実施例で示す光ディスク１０（ＤＶＤ−Ｒ、ＤＶＤ−ＲＷ、ＤＶＤ−ＲＡＭ等）に限定されるものではなく、例えば、ＭＯ、その他の記録可能な光磁気ディスク等のディスク状記録媒体を用いることができる。これらのディスク状記録媒体を使用する電子機器としては、例えば、光磁気ディスクを用いる場合には光磁気ディスク式スチルカメラとして適用可能である。
【００２１】
図７及び図８に示すように、デジタルビデオカメラ１は、外観形態を構成する外装ケース２と、この外装ケース２の内部に収納されると共に着脱自在に装着される光ディスク１０を回転駆動して情報信号の記録（書き込み）及び再生（読み出し）を行う本発明のディスクドライブ装置の一実施の例を示すディスクドライブ装置３と、被写体の像を光として取り込んで撮像素子に導くレンズ装置４と、外装ケース２に回動自在に取り付けられた表示装置５と、これらディスクドライブ装置３とレンズ装置４及び表示装置５等の駆動制御を行う制御回路等を備えて構成されている。
【００２２】
外装ケース２は、略直方体をなす中空の筐体からなり、左右方向に対向させて配置された駆動装置側パネル６及び表示装置側パネル７と、両パネル６，７を組み合わせることによって構成される筒体の前側開口部を閉じるフロントパネル８と、その筒体の後側開口部を閉じる図に表れないリアパネルを有している。この外装ケース２は、長手方向を前後方向に設定すると共に幅方向に立ち上げたような状態で使用されている。リアパネルには、携帯用電源であるバッテリー装置１１が着脱可能に装着されるバッテリー収納部が設けられている。バッテリー収納部は、外装ケース２の背面の略中央に配設されており、このバッテリー収納部に対してバッテリー装置１１は、後方斜め上方から差し込み、また同方向に取り出し可能とされている。
【００２３】
この外装ケース２の上部に、レンズ系の撮像レンズである対物レンズ１５を正面に露出させた状態でレンズ装置４が配設されている。レンズ装置４は、そのレンズ系の光軸を水平方向に向けた状態で外装ケース２に取り付けられている。この外装ケース２の内部において、レンズ装置４の後部に撮像素子が取り付けられている。そして、レンズ装置４の後方に、そのレンズ装置４から入力された被写体の画像を写し出すビューファインダ装置１６が配置されている。
【００２４】
更に、外装ケース２の上部には、ビデオライトや外付けマイクロホン等のアクセサリーが着脱自在に装着されるアクセサリーシューを露出させる開口部が設けられている。アクセサリーシューはビューファインダ装置１６の直前に配置されており、通常は、開口部を開閉するシューキャップ１７によって着脱可能に覆われている。更に、外装ケース２の前面には、フラッシュ装置の発光部１８が配置されている。そして、外装ケース２の前側上部に、ステレオ方式のマイクロホン１９が内蔵されて配置されている。このマイクロホン１９の後方にシューキャップ１７が配置され、その後方に、複数の操作ボタンからなる操作部２１が設けられている。
【００２５】
外装ケース２の一方の側面部である表示装置側パネル７には、表示装置５が姿勢変更可能に取り付けられている。表示装置５は、平板状の液晶ディスプレイ等からなる図示しない平面パネルと、この平面パネルが収納されたパネルケース２３と、このパネルケース２３を外装ケース２に対して姿勢変更可能に支持するパネル支持部２４とを備えて構成されている。パネルケース２３の内面には、図示しない横長とされた長方形の開口窓が設けられており、この開口窓に平面パネルが嵌め込まれている。
【００２６】
表示装置５のパネル支持部２４は、垂直軸を回動中心としてパネルケース２３を水平方向に略９０度回動可能とした水平回動部と、水平軸を回動中心としてパネルケース２３を前後方向に略１８０度回動可能とした前後回動部とを有している。これにより、表示装置５は、図１に示すように外装ケース２の側面部に収納した収納状態と、パネルケース２３を水平方向へ９０度回動させて平面パネルを後方へ対向させた状態と、その後方対向状態からパネルケース２３を１８０度回動させて平面パネルを前方へ対向させた状態と、それらの中間位置の状態とを任意に取ることができるようになっている。
【００２７】
表示装置側パネル７は、図示しないが、いわゆるハイブリッド筐体を構成するものであり、表面をプラスチックによる樹脂プレート層とすると共に、その内側をマグネシウム合金等の金属プレート層で構成し、樹脂プレート層と金属プレート層との２層構造として構成されている。このように構成したハイブリッド筐体によれば、プラスチックで形成した筐体と同じ程度の安さでありながら、強度の高いフレームとして使用することができ、ダイカストをそのまま表面に使用する場合に比べて極めて安価に製造することができる。しかも、このハイブリッド筐体によれば、スイッチその他の電子部品や、小物の機械部品等をそのまま取り付けることができ、従って、内部のフレーム構造等を簡略化することができる。
【００２８】
図８に示すように、外装ケース２の表示装置５と反対側の側面である駆動装置側パネル６は、ディスク蓋３０が取り付けられる主面をなす平面部と、この平面部の外縁を囲うように連続する周面部とからなっている。駆動装置側パネル６の周面部は、平面部の外周縁の略全周に渡って連続するように形成されている。この周面部には、モード選択スイッチを兼ねる電源スイッチ２５と、静止画の撮影を行うシャッタボタン２６と、所定の範囲内で画像を連続的に拡大（テレ）又は縮小（ワイド）させるズームレーバー２７と、ディスク蓋３０のロックを解除するロック解除ボタン２８等が設けられている。
【００２９】
電源スイッチ２５は、回動操作によって電源をオン・オフ切り換える機能と、電源をオンした状態で回動操作することにより複数の機能モードを繰り返すように切り換える機能とを有している。モード切換機能は、電源スイッチ２５を回動操作することによって実行され、例えば「静止画モード」と「動画モード」と「見る・編集モード」との３態様の中から任意のモードを選択できる構成とすることができる。シャッタボタン２６は静止画を撮影するためのもので、その押圧操作により、１回の押圧操作毎に１つの静止画が撮影される。また、ズームレーバー２７は撮影時や再生時等において画像を拡大するためのもので、その操作量に応じて一定の範囲内で倍率を無段階に調整することができる。
【００３０】
この駆動装置側パネル６の平面部の所定位置に所定の形状を有する開口部４５が設けられている。開口部４５は、ディスクドライブ装置３の上面部の一部を露出させるためのものである。そのため、開口部４５の形状は、ディスクドライブ装置３の平面側から見た形状に対応した形状とされており、その平面形状よりもやや大きく開口されている。そして、図示しないメカシャーシに取り付けられたディスクドライブ装置３の上面部の一部が開口部４５に緩く嵌め込まれ、その上面部が外装ケース２の外面に露出されている。
【００３１】
このディスクドライブ装置３の、光ディスク１０（ディスク状記録媒体）が着脱可能に装着されるディスク装着部であるターンテーブル４６とその周辺の一定領域がディスク収納部４７となっている。ディスク収納部４７は、この実施例では直径が８ｃｍの光ディスク１０に対応する大きさの領域として形成されている。このディスク収納部４７の略中央部にはディスクドライブ装置３のディスク回転駆動部４８が配置され、その中央部に位置するターンテーブル４６に対して、ディスク状記録媒体の一具体例を示す直径８ｃｍの光ディスク１０（ＤＶＤ、ＣＤ−ＲＷ等）が装着可能とされている。
【００３２】
ディスク収納部４７は、駆動装置側パネル６に側面部を回動自在に支持されたディスク蓋３０によって開閉可能に覆われている。ディスク蓋３０は、ディスク収納部４７の形状に見合う形状とされていて、この実施例では略円形とされている。このディスク蓋３０は、ディスク収納部４７の外側を覆う若干湾曲させて形成した主面をなす平面部３０ａと、この平面部３０ａの外周縁の略全周に亘って連続する周面部３０ｂを有している。ディスク蓋３０の周面部３０ｂは、駆動装置側パネル６のディスク収納部４７の外周側切欠き部と嵌り合うように構成されている。
【００３３】
このディスク蓋３０は、外周縁一周の略５／６（約３００度）が円形（円形部分は全体の略３／４以上あれば良い。）とされたシェル形をなしており、残りの部分には、側方へ突出する方形部３０ｃが形成されている。この方形部３０ｃには、ディスク蓋３０を開閉動作させるための回動中心となる蓋回動軸部３１が取り付けられる。蓋回動軸部３１は、図示しないが、方形部３０ｃに取り付けられた支持軸と、この支持軸の両端を固定的に支持する一対の軸受片を有する軸受部材とからなり、軸受部材を駆動装置側パネル６に固定することによってディスク蓋３０が回動自在に支持されている。この蓋回動軸部３１には、ディスク蓋３０の最大開き角度（例えば、９０度）を設定するストッパ部が設けられている。
【００３４】
このような蓋回動軸部３１が、その支持軸の軸方向を上下方向に設定して駆動装置側パネル６に取り付けられている。これにより、ディスク蓋３０が蓋回動軸部３１を介して駆動装置側パネル６の後部に回動可能に支持されている。その結果、ディスク蓋３０は、デジタルビデオカメラ１の正面を前側として前開きによって側方へ略９０度開放動作させることができる。なお、蓋回動軸部３１には、一定の開放角度の範囲内においてディスク蓋３０を任意の開放位置で静止させることができると共に、その開放角度を超えたときにはディスク蓋３０を開放側へ付勢するようにバネ部材が装着されている。
【００３５】
このディスク蓋３０と駆動装置側パネル６に関連させて、ディスク蓋３０の図示しない蓋開閉機構が設けられている。この蓋開閉機構は、ディスク収納部４７を閉じた状態のディスク蓋３０を、その閉じた状態においてロックするロック機能と、そのロックを解除するロック解除機能とを有するものである。この蓋開閉機構を介して、ディスク収納部４７がディスク蓋３０によって開閉され、そのディスク蓋３０のロック及びそのロック解除が蓋開閉機構によって実行される。この蓋開閉機構に対応させて、ディスク蓋３０の内面にはロック部材３２が取り付けられている。
【００３６】
また、図８に示すように、駆動装置側パネル６には、ディスク蓋３０を囲うようにハンドストラップ３５が取り付けられている。ハンドストラップ３５は、外装ケース２を握るユーザーの手を支え、デジタルビデオカメラ１の取り落とし等を防止するものである。このハンドストラップ３５は、両端が駆動装置側パネル６に固定された支持ベルト３６と、この支持ベルト３６に装着されてユーザーの手の甲部分に当接される保護パッド３７とから構成されている。支持ベルト３６の一端は駆動装置側パネル６の前側下部に固定された取付金具３８に連結され、他端は駆動装置側パネル６の後側中途部に設けた貫通穴から内側に挿入されて、その内部に取り付けられた取付金具３８に固定されている。
【００３７】
また、図１及び図８に示すように、ディスクドライブ装置３は、外装ケース２に取り付けられるメカシャーシと、このメカシャーシに固定されるディスク回転駆動部４８と、光ディスク１０に対して情報信号の記録及び／又は再生を行う光ピックアップ装置５０と、この光ピックアップ装置５０を光ディスク１０の半径方向に移動させるピックアップ移動部等を備えて構成されている。メカシャーシは導電性の板材で形成されていて、絶縁性材料で形成された弾性体からなる複数個の図示しないマウントインシュレータを介して外装ケース２に弾性的に支持されている。
【００３８】
メカシャーシに搭載されたディスク回転駆動部４８は、メカシャーシに固定されたスピンドルモータ４９と、このスピンドルモータ４９の回転部に固定されたターンテーブル４６とから構成されている。図８に示すように、ターンテーブル４６は、光ディスク１０のセンタ穴が嵌合される嵌合部４６ａと、センタ穴の周縁部が載置される載置部４６ｂとからなっている。更に、ターンテーブル４６の嵌合部４６ａには、光ディスク１０のセンタ穴の周縁部に係合して光ディスク１０を保持する係合爪４６ｃが周方向に複数個（本実施の例では４個）設けられている。各係合爪４６ｃはスプリングによって半径方向外側へ付勢されており、このスプリングのバネ力によって光ディスク１０が嵌合部４６ａに位置決めされて固定される。
【００３９】
このディスク回転駆動部４８の近傍に光ピックアップ装置５０が配設されている。図１に示すように、光ピックアップ装置５０は、光ディスク１０の情報記録面に対向されるピックアップレンズ５１を有する二軸アクチュエータ５３と、この二軸アクチュエータ５３が搭載されたベース部材５２等を備えて構成されている。ベース部材５２は、光ビームの光路を有すると共に第１のガイド軸６５と第２のガイド軸６６との２本のガイド軸６５，６６にガイドされてスピンドルモータ４９に対して進退移動（接近及び離反）可能に構成されている。
【００４０】
２本のガイド軸６５，６６は、それぞれ金属製の真っ直ぐな丸棒によって形成されている。一方の第１のガイド軸６５は、ベース部材５２の長手方向の一端に設けた一対の第１の軸受部５６ａ，５６ｂの軸受穴に摺動自在に貫通している。一対の第１の軸受部５６ａ，５６ｂは、第１のガイド軸６５の軸方向に適宜な間隔を開けて同一軸心線上に設定されている。この一対の第１の軸受部５６ａ，５６ｂで１本の第１のガイド軸６５を支持することによってベース部材５２が移動する際の直進性を確保するようにしている。また、この一対の第１の軸受部５６ａ，５６ｂの材質としては、耐摩耗性と摺動特性に優れた材質が好ましく、例えば含油焼結材料等が挙げられる。
【００４１】
他方の第２のガイド軸６６は、ベース部材５２の長手方向の他方に設けた第２の軸受部５７の軸受溝に摺動自在に貫通されている。第２の軸受部５７の軸受溝は、ベース部材５２の長手方向の側方へ開口するように設けられている。第２の軸受部５７は、ベース部材５２と一体に例えば鋳造により形成されている。
【００４２】
そして、この第１のガイド軸６５と、第２のガイド軸６６とは、スピンドルモータ４９を挟むようにして所定の間隔を開けて互いに略平行をなすように配置されている。また、第１のガイド軸６５と、第２のガイド軸６６を通る平面は、ターンテーブル４６に装着された光ディスク１０の情報記録面である主面に対して略平行に配置されている。これらの第１のガイド軸６５と第２のガイド軸６６は、それぞれ軸方向の両端部において、図示しない支持手段、或いは接着剤によってメカシャーシに固定するように支持されている。
【００４３】
この第１のガイド軸６５と、第２のガイド軸６６と、図示しない送りネジ軸と、この送りネジ軸を回転軸とする送りモータ等からピックアップ移動部が構成されている。
【００４４】
送りネジ軸は、その外周面に螺旋状に延在されたネジ溝が設けられており、このネジ溝にベース部材５２に取り付けられた送りナットが係合されている。この送りネジ軸は、２本のガイド軸６５，６６の軸心線と略平行をなすように配置されている。そして、送りネジ軸は、メカシャーシに設けられた図示しない軸受ホルダによって回転自在に支持されている。
【００４５】
かくして、送りモータを駆動して送りネジ軸を回転駆動することにより、その送りネジ軸の回転力が送りナットを介してベース部材５２に伝達される。その結果、送りネジ軸の回転方向に応じて、光ピックアップ装置５０が２本のガイド軸６５，６６に沿ってディスク回転駆動部４８（ターンテーブル４６及びスピンドルモータ４９）に近づく方向とディスク回転駆動部４８から離れる方向に移動される。
【００４６】
ベース部材５２は、ディスク回転駆動部４８のスピンドルモータ４９側に凹部を有する略長方形状をなしている。図３に示すように、ベース部材５２は、主面部５２ａと、この主面部５２ａと略垂直をなして連続する側面部５２ｂを有している。側面部５２ｂの所定の箇所には、係合突起５４が複数個設けられている。
【００４７】
係合突起５４は、山形状の凸部として形成されている。この係合突起５４は、摺動面５４ａと係合変位面５４ｂを有している。摺動面５４ａは、ベース部材５２の主面部５２ａ側に位置している。摺動面５４ａは、側面部５２ｂに対して緩やかに傾斜している。係合変位面５４ｂは、摺動面５４ａとは逆に、ベース部材５２の主面部５２ａと反対側に位置している。係合変位面５４ｂは、先端側である頂点５４ｃが主面部５２ａに近づく方向に変位して形成されている。本実施の例において、係合変位面５４ｂは、側面部５２ｂに対して所定の角度θをなして傾斜した傾斜面である。この係合変位面５４ｂの角度θは、後述する係合穴６３が滑らず係合でき且つ係合穴６３の先端側の一辺６３ａと係合変位面５４ｂとの隙間を無くすために、４５度以上９０度未満が好適であり、好ましくは７５度〜８５度である。なお、この実施の例では、係合変位面５４ｂを傾斜面として説明したが、これに限定されるものではなく、例えば、係合変位面５４ｂを曲面として設定してもよい。
【００４８】
また、ベース部材５２は、主面部５２ａにおける係合突起５４の近傍に溝部５８を有している。溝部５８は、略Ｖ字状をなしており、底部に近づくにつれて溝の幅が狭くなっている。この溝部５８に、光学部品、例えば、コリメータレンズ８３を保持したレンズホルダ５９が収納される。レンズホルダ５９は、一面を切り欠いた略円筒形をなしている。レンズホルダ５９は、切り欠いた一面５９ａを主面部５２ａ側に向けて溝部５８に収納される。そして、溝部５８に収納したレンズホルダ５９をコリメータレンズ８３の光軸方向に摺動させることにより、コリメータレンズ８３の焦点距離の調整を行うことができる。
【００４９】
このベース部材５２の主面部５２ａの略中央部には、光ピックアップ装置５０の光学系８０の一部をなすピックアップレンズ５１が上向き状態で配置されている。また、ベース部材５２の側面部５２ｂには、光学系８０の一部をなすレーザダイオード８１が配置されている。
【００５０】
光学系８０は、例えば、図２に示すような光学部品と電子部品の組み合わせによって構成されている。図２に示すように、光学系８０は、光ビームを発生する光発生器の一具体例を示すレーザダイオード（ＬＤ）８１を有しており、そのレーザダイオード８１の前方にグレーティング（回折格子）８２が配置されている。このグレーティング８２の前方には第１のコリメータレンズ８３とアナモルフィックプリズム８４が直列に配置されている。このアナモルフィックプリズム８４の側方には、ビームスプリッタ８５とプリズムミラー８６が直列に配置されている。
【００５１】
プリズムミラー８６のビームスプリッタ側の面は４５°に傾斜された反射面とされており、その反射面に対向するようにピックアップレンズ５１が配置されている。ビームスプリッタ８５の側方には、フロントフォトダイオード８７（ＦＰＤＩＣ）が配置されている。ＦＰＤＩＣ８７は、レーザダイオード８１から出射される光ビームの光量を検出するものである。このＦＰＤＩＣ８７で検出された光量を元にレーザダイオード８１から出射される光量を一定にしている。
【００５２】
ビームスプリッタ８５の後方には、第２のコリメータンレンズ８８と、シリドリカルレンズ（マルチレンズ）８９と、ディテクタ（ＰＤＩＣ）９０とが順次直列に配置されている。ディテクタ９０は、光ディスク１０の情報記録面にて反射された反射光（再生信号）を受光して情報信号を取り出す光検出器の一具体例を示すものである。
【００５３】
レーザダイオード８１から出射された光ビームは、グレーティング８２により３本の光ビームに分割される。分割された光ビームは、第１のコリメータレンズ８３により、発散光から平行光に変換され、アナモルフィックプリズム８４にて、３本の光ビームの縦横比が整形されて９０°屈折される。縦横比が整形された３本の光ビームは、ビームスプリッタ８５に入射される。ビームスプリッタ８５に入射された光ビームの一部は、当該ビームスプリッタ８５を直線的に透過してプリズムミラー８６に出射される。残りの光ビームは、ビームスプリッタ８５で反射されて、ＦＰＤＩＣ８７に向かい、ＬＤ８１の出力検出に供される。
【００５４】
ビームスプリッタ８５を直線的に透過した光ビームは、光軸Ｌに沿ってプリズムミラー８６の反射面に到達する。プリズムミラー８６の反射面に達した光ビームは、その反射面で９０°屈折されてピックアップレンズ５１に向う。そのピックアップレンズ５１で集光されて光ディスク１０の情報記録面に照射される。情報記録面で反射された光ビームは、ピックアップレンズ５１を通ってプリズムミラー８６の反射面にて反射される。これにより、その進行方向が９０°屈折され、光軸Ｌに沿ってビームスプリッタ８５側に戻る。
【００５５】
ビームスプリッタ８５に入射された光ビームは、ビームスプリッタ８５内部の境界面で反射し、第２のコリメータレンズ８８及びシリンドリカルレンズ８９を透過して、ＰＤＩＣ９０にて受光される。このＰＤＩＣ９０により、受光された光ビームに基づいて情報信号の再生が行われると共に、フォーカスエラーやトラッキングエラーが検出され、フォーカス制御及びトラッキング制御に供される。
【００５６】
更に、図１に示すように、ベース部材５２には、レーザ駆動用の駆動回路部が搭載されたフレキシブル配線板５５が設けられている。フレキシブル配線板５５により、光学系８０のレーザダイオード８１やＰＤＩＣ９０等の電子部品への情報伝達を行っている。
【００５７】
このベース部材５２に収納した光学部品及び電子部品や、光ビームの光路等を覆うように、カバー部材６１が装着されている。カバー部材６１は、薄い平板状をなしており、その主面部６１ａがベース部材５２の主面部５２ａに重ね合わされている。主面部６１ａには、二軸アクチュエータ５３の一部を露出させるための開口部６１ｂが設けられている。カバー部材６１には、その主面部６１ａと略垂直をなして連続する係合片６２が設けられている。係合片６２は、弾性を有しており、カバー部材６１の所定の箇所（カバー部材６１をベース部材５２に臨ませた際に、ベース部材５２の係合突起５４と対応する箇所）に複数個形成されている。図３Ａ及び図３Ｂに示すように、この係合片６２には、係合穴６３が設けられている。
【００５８】
係合穴６３は、略長方形状の長穴として形成されている。この係合穴６３と係合突起５４を係合することにより、ベース部材５２にカバー部材６１が取り付けられる。ここで、係合穴６３の先端側の一辺６３ａは、係合突起５４の頂点５４ｃを乗り越えるために、係合片６２とカバー部材６１の角部Ｇまでの長さＣを、角部Ｇから係合突起５４までの長さＤよりも長く設定している（Ｃ＞Ｄ）。更に、長さＣは、角部Ｇから係合突起５４の係合変位面５４ｂが側面部５２ｂと接続する点までの長さＥよりも短く設定している（Ｃ＜Ｅ）。そのため、係合穴６３は、係合突起５４の頂点５４ｃを乗り越えると、係合穴６３の一辺６３ａが係合変位面５４ｂに当接し、係合される。これにより、係合穴６３の先端側の一辺６３ａと係合突起５４の係合変位面５４ｂに隙間が生じないため、ベース部材５２とカバー部材６１とのガタツキを防止することができる。
【００５９】
また、図４〜図５に示すように、カバー部材６１の主面部６１ａにおける、係合片６２の近傍には、弾性を有する弾性片６４が設けられている。この弾性片６４は、舌片状をなしており、カバー部材６１の主面部６１ａからベース部材５２への取り付け方向に凹んでいる。この弾性片６４により、ベース部材５２に収納された光学部品、例えば、コリメータレンズ８３を保持したレンズホルダ５９がベース部材５２側に付勢される。
【００６０】
次に、カバー部材６１のベース部材５２への装着作業について説明する。まず、ベース部材５２に光学部品や電子部品を収納する。例えば、ベース部材５２の溝部５８に、コリメータレンズ８３を保持したレンズホルダ５９を切り欠いた一面５９ａを主面部５２ａ側に向けて収納する。次に、コリメータレンズ８３の光軸方向に沿ってレンズホルダ５９を摺動させて、コリメータレンズ８３の焦点距離を調整する。
【００６１】
次に、係合突起５４に係合片６２を対応させて、ベース部材５２の主面部５２ａの上方にカバー部材６１を臨ませる。そして、ベース部材５２の主面部５２ａにカバー部材６１の主面部６１ａを重ね合わせる。このとき、図３Ｂに示す破線のように、係合片６２が、係合突起５４の摺動面５４ａを摺動し、弾性力に抗して、角部Ｇを中心にベース部材５２の側面部５２ｂから離れる方向に変位する。そして、係合片６２に設けた係合穴６３の一辺６３ａが、係合突起５４の頂点５４ｃを乗り越えると、係合片６２は、その弾性力により、角部Ｇを中心にベース部材５２の側面部５２ｂに近づく方向に移動する。
【００６２】
ここで、係合穴６３の先端側の一辺６３ａは、係合片６２とカバー部材６１の角部Ｇまでの長さＣを、角部Ｇから係合突起５４の係合変位面５４ｂが側面部５２ｂと接続する点までの長さＥよりも短く設定している。そのため、係合片６２がベース部材５２の側面部５２ｂに近づく方向に移動すると、係合穴６３の先端側の一辺６３ａが係合突起５４の係合変位面５４ｂに当接し、係合される。その結果、係合穴６３の一辺６３ａと係合突起５４の係合変位面５４ｂとの隙間をなくすことができる。また、角部Ｇがベース部材５２と接触する位置までカバー部材６１を押し込んでも、係合穴６３の一辺６３ａは係合突起５４の係合変位面５４ｂに当接する。これにより、カバー部材６１とベース部材５２のガタツキを防止又は抑制することができる。
【００６３】
更に、係合穴６３の先端側の一辺６３ａと係合突起５４の係合変位面５４ｂが当接し、係合していることにより、スピンドルモータ４９や送りモータ等からの振動を抑止し、異音の発生を防ぐことができる。
【００６４】
これと同時に、図６に示すように、カバー部材６１の弾性片６４が、レンズホルダ５９の切り欠かれた一面５９ａに接触する。そして、弾性片６４の弾性力により、レンズホルダ５９が溝部５８の底部側に付勢される。その結果、所定の焦点距離を維持した状態でレンズホルダ５９を保持することができる。また、弾性片６４がレンズホルダ５９を付勢（押圧）することにより、カバー部材６１はレンズホルダ５９から主面部６１ａの上方に向かう反力を受ける。そのため、この反力により、カバー部材６１の係合穴６３の先端側の一辺６３ａが更に強くベース部材５２の係合変位面５４ｂに当接する。これにより、カバー部材６１とベース部材５２のガタツキを更に防止又は抑制することができる。これらにより、カバー部材６１のベース部材５２への装着作業が完了する。
【００６５】
以上説明してきたように、本発明の光ピックアップ装置及びディスクドライブ装置によれば、係合突起に、先端側が主面部に近づく方向に変位する係合変位面を設けた。そして、カバー部材をベース部材に取り付ける際に、係合穴の先端側の一辺を係合突起の係合変位面に当接させる構成とした。その結果、係合穴の先端側の一辺と係合突起の係合変位面との隙間を無くし、カバー部材とベース部材のガタツキを防止又は抑制することができ、光ピックアップ装置の信頼性を向上させることができる。
【００６６】
更に、カバー部材の主面部おける係合片の近傍に、弾性を有する弾性片を設けた。この弾性片により、ベース部材に収納した光学部品を押圧して保持することができ、光学部品における所定の焦点距離を保持することができる。また、弾性片で光学部品を押圧することにより、カバー部材は、光学部品からの取り付け方向と反対側に向かう反力を受ける。そのため、この反力により、係合穴の先端側の一辺は、更に係合突起の係合変位面に強く当接する。これにより、カバー部材とベース部材のガタツキを更に防止又は抑制することができる。
【００６７】
また、係合突起に係合変位面を設けることにより、係合突起と係合穴の隙間を無くすことができるため、ベース部材とカバー部材の製造精度を緩和することができる。これにより、ベース部材及びカバー部材の歩留りを向上させることができる。
【００６８】
尚、本発明は前述しかつ図面に示した実施の形態に限定されるものではなく、その要旨を逸脱しない範囲内で種々の変形実施が可能である。例えば、前記実施例においては、電子機器の具体例としてデジタルビデオカメラを適用した例について説明したが、これに限定されるものではなく、この主のディスクドライブ装置が用いられるパーソナルコンピュータ、電子辞書、ＤＶＤプレーヤ、カーナビゲーションその他各種の電子機器に適用できるものである。
【図面の簡単な説明】
【００６９】
【図１】本発明のディスクドライブ装置の第１の実施の例を示す斜視図である。
【図２】本発明の光ピックアップ装置の第１の実施の例に係る光学系を示す斜視図である。
【図３】本発明の光ピックアップ装置の第１の実施の例を示すもので、図３Ａは要部の斜視図、図３Ｂは要部の側面図。
【図４】本発明の光ピックアップ装置の第１の実施の例を示す分解斜視図である。
【図５】本発明の光ピックアップ装置の第１の実施の例に係る光学部品の収納状態を示す斜視図である。
【図６】本発明の光ピックアップ装置の第１の実施の例を示す図５の断面図である。
【図７】本発明のディスクドライブ装置を備えた撮像装置の一具体例であるデジタルビデオカメラを正面側から見た斜視図である
【図８】本発明のディスクドライブ装置を備えた撮像装置の一具体例であるデジタルビデオカメラをディスク蓋及び表示装置を開いて正面側から見た斜視図である。
【図９】従来の光ピックアップ装置を示すもので、図９Ａは要部を示す斜視図、図９Ｂは要部を示す側面図である。
【符号の説明】
【００７０】
１…デジタルスチルカメラ（電子機器）、  ３…ディスクドライブ装置、  １０…光ディスク（ディスク状記録媒体）、  ４６…ターンテーブル  ４８…ディスク回転駆動部、  ５０…光ピックアップ、  ５２…ベース部材、  ５２ａ…主面部、  ５２ｂ…側面部、  ５４…係合突起、  ５４ｂ…係合変位面、  ５８…溝部、  ６１…カバー部材、  ６１ａ…主面部、  ６２…係合片、  ６３…係合穴、  ６４…弾性片
【図１】
2008282458.tif 000003
【図２】
2008282458.tif 000004
【図３】
2008282458.tif 000005
【図４】
2008282458.tif 000006
【図５】
2008282458.tif 000007
【図６】
2008282458.tif 000008
【図７】
2008282458.tif 000009
【図８】
2008282458.tif 000010
【図９】
2008282458.tif 000011